(57)【特許請求の範囲】
【請求項１】
画像データを送信する機能を備えた画像形成装置と、該画像形成装置に画像データの送信を指示する情報処理装置とを備え、前記画像形成装置と前記情報処理装置とがネットワークを介して接続された情報処理システムであって、
前記情報処理装置は、前記画像形成装置に送信指示した画像データを含む送信履歴を送信ジョブ毎に記憶する送信履歴記憶手段と、該記憶した送信履歴の画像データをサムネイル化してサムネイル画像を生成する履歴データ生成手段と、該履歴データ生成手段により生成したサムネイル画像を表示させる表示データ制御手段とを備え、
前記表示データ制御手段は、前記履歴データ生成手段により生成したサムネイル画像を表示させる際に、該サムネイル画像に対応する画像データの１枚目が送付状である場合には、２枚目以降の画像データのサムネイル画像を表示させることを特徴とする情報処理システム。
【請求項２】
請求項１に記載の情報処理システムにおいて、前記履歴データ生成手段は、前記送信履歴記憶手段に記憶した送信履歴に係る情報をリスト化して履歴一覧を生成し、
前記表示データ制御手段は、前記履歴データ生成手段により生成した履歴一覧を表示させる際に、該履歴一覧の送信履歴を送信結果の状態で区別して表示させることを特徴とする情報処理システム。
【請求項３】
請求項２に記載の情報処理システムにおいて、前記表示データ制御手段は、前記履歴一覧の送信履歴を、該送信履歴の送信結果の状態毎にタブで分けて表示させることを特徴とする情報処理システム。
【請求項４】
請求項２に記載の情報処理システムにおいて、前記表示データ制御手段は、前記履歴一覧の送信履歴を、該送信履歴の送信結果の状態毎に色分けして表示させることを特徴とする情報処理システム。
【請求項５】
請求項２乃至４のいずれか１項に記載の情報処理システムにおいて、前記送信結果の状態は、前記画像形成装置が画像データの送信に成功した状態か失敗した状態かであることを特徴とする情報処理システム。
【請求項６】
請求項５に記載の情報処理システムにおいて、前記表示データ制御手段は、前記履歴一覧と共に、前記画像形成装置が送信に失敗した画像データの再送信を可能とする再送信キーを表示させることを特徴とする情報処理システム。
【請求項７】
請求項５に記載の情報処理システムにおいて、前記表示データ制御手段は、前記履歴一覧と共に、前記画像形成装置が送信に成功した画像データの送信先を別の送信先に変更して送信可能とする送信先変更キーを表示させることを特徴とする情報処理システム。
【請求項８】
請求項２乃至７のいずれか１項に記載の情報処理システムにおいて、前記情報処理装置は、前記履歴一覧の送信履歴に対して、送信日時，ジョブ名，宛先情報，送信結果の少なくとも１つを検索条件として検索する送信履歴検索手段を備えていることを特徴とする情報処理システム。
【請求項９】
請求項８に記載の情報処理システムにおいて、前記表示データ制御手段は、前記送信履歴検索手段により検索して得た送信履歴を、前記タブとは異なる別のタブで分けて表示させることを特徴とする情報処理システム。
【請求項１０】
請求項８又は９に記載の情報処理システムにおいて、前記履歴データ生成手段は、前記送信履歴検索手段により検索して得た送信履歴の画像データをサムネイル化してサムネイル画像を生成することを特徴とする情報処理システム。
【請求項１１】
請求項１乃至１０のいずれか１項に記載の情報処理システムにおいて、前記画像形成装置は、画像データをファクシミリ送信することを特徴とする情報処理システム。
【請求項１２】
請求項１乃至１０のいずれか１項に記載の情報処理システムにおいて、前記画像形成装置は、画像データを電子メール送信することを特徴とする情報処理システム。
【請求項１３】
請求項１乃至１２のいずれか１項に記載の情報処理システムにおいて、前記情報処理装置は、複数のクライアント端末と前記ネットワークを介して接続されたサーバ装置であり、前記表示データ制御手段は、前記複数のクライアント端末のいずれかのクライアント端末からの送信履歴の表示要求に応じて、前記履歴データ生成手段により生成したサムネイル画像あるいは履歴一覧を前記クライアント端末の表示部に表示させることを特徴とする情報処理システム。
【請求項１４】
請求項１乃至１３のいずれか１項に記載の情報処理システムにおける情報処理装置としての機能をコンピュータに実現させるためのプログラム。
【請求項１５】
画像データを送信する機能を備えた画像形成装置と、該画像形成装置に画像データの送信を指示する情報処理装置とを備え、前記画像形成装置と前記情報処理装置とがネットワークを介して接続された情報処理システムによる履歴情報表示方法であって、
前記情報処理装置が、前記画像形成装置に送信指示した画像データを含む送信履歴を送信ジョブ毎に取得するステップと、該取得した送信履歴の画像データをサムネイル化してサムネイル画像を生成する履歴データ生成ステップと、該生成したサムネイル画像を表示させる表示データ制御ステップとを備え、
前記表示データ制御ステップは、前記履歴データ生成ステップにて生成したサムネイル画像を表示させる際に、該サムネイル画像に対応する画像データの１枚目が送付状である場合には、２枚目以降の画像データのサムネイル画像を表示させることを特徴とする履歴情報表示方法。
【発明の詳細な説明】
【技術分野】
【０００１】
本発明は、情報処理システム、プログラム、及び履歴情報表示方法に関し、より詳細には、ＦＡＸジョブ等を送信する場合において、送信履歴をサムネイル化して表示したり、送信結果等で区別して表示する情報処理システム、プログラム、及び履歴情報表示方法に関する。
【背景技術】
【０００２】
従来、通信管理レポートを出力する機能を備えたファクシミリ装置が知られている。この通信管理レポートにより、ユーザはファクシミリの通信結果、ページ数、通信日時、通信時間などを確認することができる。このようなファクシミリ装置において、例えば、特許文献１には、ファクシミリの送信画像を含む送信履歴を記憶しておき、ユーザがこの送信履歴を用いて送信画像を検索可能としたものが記載されている。
【０００３】
特許文献１に記載のファクシミリ装置は、スキャナによって読み取った原稿の画情報を記憶し、その画情報にタイトル情報（件名）を付加する。そして、タイトル情報のコード情報を含む送信履歴を示す通信管理情報を作成し、さらに、送信した画情報とそのコード情報とを対応させて記憶することにより、送信した件名を有する通信管理レポートの出力や送信画情報の検索を行えるようにしている。
【特許文献１】特開２０００−２３２５７０号公報
【発明の開示】
【発明が解決しようとする課題】
【０００４】
しかしながら、特許文献１に記載のファクシミリ装置の場合、通信管理レポートに記載されている複数の送信履歴から、タイトル情報を検索キーとして特定の情報を検索することができるが、送信履歴が多くなってくると、ユーザがタイトル情報を忘れてしまうケースや、タイトル情報から送信内容を特定できないケースなどが出てくる。このようなケースではユーザが所望の情報を検索するのに時間を要してしまうという問題がある。
【０００５】
本発明は、上述のごとき実情に鑑みてなされたものであり、ＦＡＸジョブ等の送信履歴を表示する場合において、送信履歴に含まれる画像をサムネイル化したり、履歴一覧における送信履歴を送信結果などの特定の条件で区別して表示することによって、送信履歴の中から特定の情報をすばやく検索することを可能とする情報処理システム、プログラム、及び履歴情報表示方法を提供すること、を目的とする。
【課題を解決するための手段】
【０００６】
上記課題を解決するために、本発明の第１の技術手段は、画像データを送信する機能を備えた画像形成装置と、該画像形成装置に画像データの送信を指示する情報処理装置とを備え、前記画像形成装置と前記情報処理装置とがネットワークを介して接続された情報処理システムであって、前記情報処理装置は、前記画像形成装置に送信指示した画像データを含む送信履歴を送信ジョブ毎に記憶する送信履歴記憶手段と、該記憶した送信履歴の画像データをサムネイル化してサムネイル画像を生成する履歴データ生成手段と、該履歴データ生成手段により生成したサムネイル画像を表示させる表示データ制御手段とを備え、前記表示データ制御手段は、前記履歴データ生成手段により生成したサムネイル画像を表示させる際に、該サムネイル画像に対応する画像データの１枚目が送付状である場合には、２枚目以降の画像データのサムネイル画像を表示させることを特徴としたものである。
【００１１】
第２の技術手段は、第１の技術手段において、前記履歴データ生成手段は、前記送信履歴記憶手段に記憶した送信履歴に係る情報をリスト化して履歴一覧を生成し、前記表示データ制御手段は、前記履歴データ生成手段により生成した履歴一覧を表示させる際に、該履歴一覧の送信履歴を送信結果の状態で区別して表示させることを特徴としたものである。
【００１２】
第３の技術手段は、第２の技術手段において、前記表示データ制御手段は、前記履歴一覧の送信履歴を、該送信履歴の送信結果の状態毎にタブで分けて表示させることを特徴としたものである。
【００１３】
第４の技術手段は、第２の技術手段において、前記表示データ制御手段は、前記履歴一覧の送信履歴を、該送信履歴の送信結果の状態毎に色分けして表示させることを特徴としたものである。
【００１４】
第５の技術手段は、第２乃至第４のいずれか１の技術手段において、前記送信結果の状態は、前記画像形成装置が画像データの送信に成功した状態か失敗した状態かであることを特徴としたものである。
【００１５】
第６の技術手段は、第５の技術手段において、前記表示データ制御手段は、前記履歴一覧と共に、前記画像形成装置が送信に失敗した画像データの再送信を可能とする再送信キーを表示させることを特徴としたものである。
【００１６】
第７の技術手段は、第５の技術手段において、前記表示データ制御手段は、前記履歴一覧と共に、前記画像形成装置が送信に成功した画像データの送信先を別の送信先に変更して送信可能とする送信先変更キーを表示させることを特徴としたものである。
【００１７】
第８の技術手段は、第２乃至第７のいずれか１の技術手段において、前記情報処理装置は、前記履歴一覧の送信履歴に対して、送信日時，ジョブ名，宛先情報，送信結果の少なくとも１つを検索条件として検索する送信履歴検索手段を備えていることを特徴としたものである。
【００１８】
第９の技術手段は、第８の技術手段において、前記表示データ制御手段は、前記送信履歴検索手段により検索して得た送信履歴を、前記タブとは異なる別のタブで分けて表示させることを特徴としたものである。
【００１９】
第１０の技術手段は、第８又は第９の技術手段において、前記履歴データ生成手段は、前記送信履歴検索手段により検索して得た送信履歴の画像データをサムネイル化してサムネイル画像を生成することを特徴としたものである。
【００２０】
第１１の技術手段は、第１乃至第１０のいずれか１の技術手段において、前記画像形成装置は、画像データをファクシミリ送信することを特徴としたものである。
【００２１】
第１２の技術手段は、第１乃至第１０のいずれか１の技術手段において、前記画像形成装置は、画像データを電子メール送信することを特徴としたものである。
【００２２】
第１３の技術手段は、第１乃至第１２のいずれか１の技術手段において、前記情報処理装置は、複数のクライアント端末と前記ネットワークを介して接続されたサーバ装置であり、前記表示データ制御手段は、前記複数のクライアント端末のいずれかのクライアント端末からの送信履歴の表示要求に応じて、前記履歴データ生成手段により生成したサムネイル画像あるいは履歴一覧を前記クライアント端末の表示部に表示させることを特徴としたものである。
【００２３】
第１４の技術手段は、第１乃至第１３のいずれか１の技術手段の情報処理システムにおける情報処理装置としての機能をコンピュータに実現させるためのプログラムである。
【００２４】
第１５の技術手段は、画像データを送信する機能を備えた画像形成装置と、該画像形成装置に画像データの送信を指示する情報処理装置とを備え、前記画像形成装置と前記情報処理装置とがネットワークを介して接続された情報処理システムによる履歴情報表示方法であって、前記情報処理装置が、前記画像形成装置に送信指示した画像データを含む送信履歴を送信ジョブ毎に取得するステップと、該取得した送信履歴の画像データをサムネイル化してサムネイル画像を生成する履歴データ生成ステップと、該生成したサムネイル画像を表示させる表示データ制御ステップとを備え、前記表示データ制御ステップは、前記履歴データ生成ステップにて生成したサムネイル画像を表示させる際に、該サムネイル画像に対応する画像データの１枚目が送付状である場合には、２枚目以降の画像データのサムネイル画像を表示させることを特徴としたものである。
【発明の効果】
【００２５】
本発明によれば、ＦＡＸジョブ等の送信履歴を表示する場合において、送信履歴に含まれる画像をサムネイル化したり、履歴一覧における送信履歴を送信結果などの特定の条件で区別して表示することによって、送信履歴の中から特定の情報をすばやく検索することができる。
【発明を実施するための最良の形態】
【００２６】
以下、添付図面を参照しながら、本発明の情報処理システム、履歴情報表示方法、及びプログラムの好適な実施の形態について説明する。尚、以下の実施の形態は、本発明を具体化した一例であって、本発明の技術的範囲を限定する性格のものではない。
【００２７】
図１は、本発明の一実施形態に係る情報処理システムの構成例を示す図で、図中、１はサーバ装置、２ａ，２ｂはクライアントＰＣ、３はネットワーク、４ａ，４ｂはＭＦＰ（デジタル複合機）を示す。サーバ装置１とクライアントＰＣ２ａ，２ｂ（以下、クライアントＰＣ２で代表する）は汎用的なパーソナルコンピュータであり、ＭＦＰ４ａ，４ｂ（以下、ＭＦＰ４で代表する）はスキャナ機能，コピー機能，プリンタ機能，ファクシミリ（ＦＡＸ）機能，電子メール機能などを備えた複合機である。
【００２８】
本発明に係る情報処理装置は、クライアントＰＣ２あるいはサーバ装置１のいずれであってもよいが、クライアントＰＣ２に適用した場合、サーバ装置１を不要としてもよい。本実施形態の場合、サーバ装置１とクライアントＰＣ２とＭＦＰ４とが、例えば、ＩＥＥＥ８０２．３準拠のＬＡＮ（Local Area Network）などのネットワーク３を介して通信可能に接続される。
【００２９】
本実施形態の情報処理システムによりＦＡＸ送信する場合、クライアントＰＣ２ａはサーバ装置１へＦＡＸ送信用の画像データを送信し、サーバ装置１は当該画像データのＦＡＸジョブを生成して、ネットワーク３を介して、ＭＦＰ４に送信する。これを受信したＭＦＰ４は、設定されている宛先に対してファクシミリ送信する。
また、サーバ装置１を介さない通信環境としてもよい。この場合、クライアントＰＣ２ａはＦＡＸ送信用の画像データから直接ＦＡＸジョブを生成して、ネットワーク３を介して、ＭＦＰ４に送信する。これを受信したＭＦＰ４は、設定されている宛先に対してファクシミリ送信する。
【００３０】
図２は、図１に示した情報処理システムにおけるサーバ装置１及びクライアントＰＣ２の要部構成例を示すブロック図である。図２（Ａ）はサーバ装置１の構成例を示し、図２（Ｂ）はクライアントＰＣ２の構成例を示す。
図２（Ａ）において、サーバ装置１は、サーバ装置１の機能を制御し各種演算を行うＣＰＵ１１と、ＣＰＵ１１により実行されるプログラムを一時蓄積して展開するためのＲＡＭ１２と、ＣＰＵ１１により実行されるＢＩＯＳ等の制御プログラムを記憶するＲＯＭ１３と、ネットワーク３を介してデータ通信を行い、複数のクライアントＰＣ２のアプリケーションで生成されたデータを受信したり、受信したデータをＭＦＰ４に送信したり、ＭＦＰ４の状態を受信したりするための通信部１４と、ＭＦＰ４を用いてＦＡＸ通信等を行うための通信処理部１５と、各種ドライバソフト，アプリケーションプログラム，各種データ等を記憶し、クライアントＰＣ毎にＭＦＰ４に送信した送信ジョブの履歴情報及び送信ジョブを記憶するハードディスクドライブであるＨＤＤ１６とを備える。
【００３１】
本実施形態の場合、通信処理部１５は、ＭＦＰ４を用いてＦＡＸ通信を行うためのＦＡＸドライバ又はＦＡＸアプリケーションや、ＭＦＰ４を用いて電子メールの送受信を行うための電子メールアプリケーションなどのプログラムで構成され、当該プログラムはＨＤＤ１６に格納されており、実行時にＣＰＵ１１により読み出されて実行される。
【００３２】
通信処理部１５によりＦＡＸ通信を行う構成とした場合、通信処理部１５は、ＦＡＸジョブの送信先を設定する送信先設定部１５１と、クライアントＰＣ２からの画像データに基づいてファクシミリの送信ジョブを生成するジョブ生成部１５２と、ＨＤＤ１６から送信ジョブ履歴情報を取得する履歴情報取得部１５３と、履歴情報取得部１５４で取得した送信ジョブ履歴情報の中から所定の検索条件（送信日時など）に合致する送信ジョブ履歴情報を検索する履歴情報検索部１５４と、履歴情報取得部１５４で取得した送信ジョブ履歴情報からサムネイル画像や履歴一覧等の履歴データを生成する履歴データ生成部１５５と、ＨＤＤ１６から送信ジョブを取得する送信ジョブ取得部１５６と、履歴データ生成部１５５で生成した履歴データに基づきクライアントＰＣ２の表示部で表示可能な表示データを生成し、この表示データをクライアントＰＣ２の表示部に表示させる表示データ制御部１５７とを備える。
【００３３】
図２（Ｂ）において、クライアントＰＣ２は、クライアントＰＣ２の機能を制御し各種演算を行うＣＰＵ２１と、ＣＰＵ２１により実行されるプログラムを一時蓄積して展開するためのＲＡＭ２２と、ＣＰＵ２１により実行されるＢＩＯＳ等の制御プログラムを記憶するＲＯＭ２３と、ネットワーク３を介してデータ通信を行い、アプリケーションにより生成したデータをＭＦＰ４に送信する通信部２４と、ＬＣＤ（Liquid Crystal Display）やＣＲＴ（Cathode Ray Tube）などで構成される表示部２５と、キーボードやマウスなどの入力デバイスで構成される操作部２６と、ＭＦＰ４を用いてＦＡＸ通信等を行うための通信処理部２７と、各種ドライバソフト，アプリケーションプログラム，各種データ等を記憶し、ＭＦＰ４に送信した送信ジョブの履歴情報及び送信ジョブを記憶するハードディスクドライブであるＨＤＤ２８とを備える。
【００３４】
通信処理部２７は、図２（Ａ）の場合と同様に、ＭＦＰ４を用いてＦＡＸ通信を行うためのＦＡＸドライバあるいはＦＡＸアプリケーションなどのプログラムで構成され、当該プログラムはＨＤＤ２８に格納されており、実行時にＣＰＵ２１により読み出されて実行される。この通信制御部２７は、ＦＡＸジョブの送信先を設定する送信先設定部２７１と、アプリケーションで生成した画像データに基づいてファクシミリの送信ジョブを生成するジョブ生成部２７２と、ＨＤＤ２８から送信ジョブ履歴情報を取得する履歴情報取得部２７３と、履歴情報取得部２７３で取得した送信ジョブ履歴情報の中から所定の検索条件（送信日時など）に合致する送信ジョブ履歴情報を検索する履歴情報検索部２７４と、履歴情報取得部２７３で取得した送信ジョブ履歴情報からサムネイル画像や履歴一覧等の履歴データを生成する履歴データ生成部２７５と、ＨＤＤ２８から送信ジョブを取得する送信ジョブ取得部２７６と、履歴データ生成部２７５で生成した履歴データを表示部２５に表示させる表示データ制御部２７７とを備える。
【００３５】
なお、サーバ装置１のＨＤＤ１６や、クライアントＰＣ２のＨＤＤ２８に記憶される送信ジョブ履歴情報は、本発明の送信履歴に相当するものであり、例えば、送信日時，ジョブ名，宛先情報（ＦＡＸ番号など），送信結果（送信成功／失敗），及び送信画像データ等が含まれるものとする。
【００３６】
図３は、図１に示した情報処理システムにおけるＭＦＰ４の要部構成例を示すブロック図である。図中、ＭＦＰ４は、ＭＦＰ４の機能を制御し各種演算を行うＣＰＵ４１と、ＣＰＵ４１により実行されるプログラムを一時蓄積して展開するためのＲＡＭ４２と、ＣＰＵ４１により実行されるＢＩＯＳ等の制御プログラムを記憶するＲＯＭ４３と、サーバ装置１あるいはクライアントＰＣ２から受信したＦＡＸジョブをホールドして記憶するハードディスクドライブであるＨＤＤ４４と、ネットワーク３を介してデータ通信を行い、サーバ装置１あるいはクライアントＰＣ２から受信したＦＡＸジョブを受信する通信部４５と、通信部４５で受信したＦＡＸジョブをＦＡＸ回線に送信するＦＡＸモデム４６とを備える。
【００３７】
なお、図１に示した情報処理システムにおいて、クライアントＰＣ２に通信処理部２７を備えている場合、サーバ装置１を不要としてもよく、また、サーバ装置１に通信処理部１５を備えている場合、クライアントＰＣ２側の通信処理部２７を不要としてもよい。
【００３８】
以下では、本発明に係る情報処理装置として、クライアントＰＣ２を適用した場合を代表例として説明するが、前述したように、サーバ装置１に対しても同様に適用することができる。
本発明の主たる特徴部分は、情報処理システムにおいて、ＦＡＸジョブ等の送信履歴を表示する場合において、送信履歴に含まれる画像をサムネイル化したり、履歴一覧における送信履歴を送信結果などの特定の条件で区別して表示することにある。このための構成として、クライアントＰＣ２は、ＭＦＰ４に送信指示した画像データを含む送信履歴を送信ジョブ毎に記憶する送信履歴記憶手段に相当するＨＤＤ２８と、記憶した送信履歴の画像データをサムネイル化してサムネイル画像を生成する履歴データ生成手段に相当する履歴データ生成部２７５と、履歴データ生成部２７５により生成したサムネイル画像を表示部２５に表示させる表示データ制御手段に相当する表示データ制御部２７７とを備える。
【００３９】
さらに、履歴データ生成部２７５は、ＨＤＤ２８に記憶した送信履歴に係る情報をリスト化して履歴一覧を生成してもよい。この場合、表示データ制御部２７７が、履歴データ生成部２７５により生成した履歴一覧を表示させる際に、履歴一覧の送信履歴を送信結果の状態（送信成功／失敗）で区別して表示させる。
【００４０】
図４は、クライアントＰＣ２に送信履歴のサムネイル画像を表示した場合の画面例を示す図で、図中、５は送信履歴画面を示す。この送信履歴画面５は、ユーザが操作部２６を操作してＦＡＸアプリケーションを実行し、ＦＡＸアプリケーションのメニュー上で「送信履歴表示」を選択すると表示部２５に表示される。送信履歴画面５は、履歴データ生成部２７５により生成され、表示データ制御部２７７が表示部２５に表示する。送信履歴画面５は、サムネイル表示ボタン５１、一覧表示ボタン５２、検索条件の入力ボタン５３、リストの保存ボタン５４を選択可能な項目として有する。
【００４１】
本例では、ユーザが操作部２６を操作してサムネイル表示ボタン５１が押下された際の表示状態を示しており、サムネイル画像表示領域５５には、送信履歴の画像データを送信ジョブ毎にサムネイル化したサムネイル画像５５ａ〜５５ｆが表示されている。送信履歴が複数ページにわたって存在する場合、ユーザはマウス等により前ページ５６をクリックすると前ページのサムネイル画像を見ることができ、また、次ページ５７をクリックすると次ページのサムネイル画像を見ることができる。このように、送信履歴をサムネイル化して表示することにより、送信した内容を簡単且つすばやく見つけて確認することができる。
【００４２】
また、表示データ制御部２７７は、履歴データ生成部２７５により生成したサムネイル画像を表示させる際に、サムネイル画像に対応する画像データの送信日時，ジョブ名，宛先情報（ＦＡＸ番号など），送信結果のいずれか１以上を含む送信履歴情報を同時に表示させることができる。図４の例の場合、送信日時とサムネイル画像が共に表示されている。このように、送信履歴情報をサムネイル画像といっしょに表示させることにより、送信した内容をより早く見つけて確認することができる。
【００４３】
また、表示データ制御部２７７は、履歴データ生成部２７５により生成したサムネイル画像を表示させる際に、サムネイル画像に対応する画像データの１枚目が送付状である場合には、２枚目以降の画像データのサムネイル画像を表示させることができる。ＦＡＸの１枚目は定型的な送付状であることが多く、この送付状をサムネイル画像にしても、ユーザはその内容を把握しにくい。従って、上記のように、２枚目以降の画像データをサムネイル画像にしたほうがユーザは内容を把握し易くなり、作業効率がよくなる。
なお、画像データが送付状であるかどうかは、例えば、送付状が持つ固有の文字情報やレイアウトなどの特徴量を抽出することにより判定することができる。あるいは、送付状であることを示す識別情報を予め付加しておいて、これを抽出することで判定してもよい。
【００４４】
図５は、クライアントＰＣ２に送信履歴の履歴一覧を表示した場合の画面例を示す図である。本例の送信履歴画面５は、ユーザが操作部２６を操作して一覧表示ボタン５２が押下された際の表示状態を示しており、履歴一覧表示領域５８には、送信日時などの送信履歴情報が送信ジョブ毎に順番に表示されている。本例の送信履歴画面５についても、図４の例と同様に、履歴データ生成部２７５により生成され、表示データ制御部２７７が表示部２５に表示する。
【００４５】
履歴一覧表示領域５８に表示されている６つの送信履歴情報は、上から順に前述の図４に示したサムネイル画像５５ａ（ジョブＡ１），５５ｂ（ジョブＢ），５５ｃ（ジョブＡ２），５５ｄ（ジョブＣ），５５ｅ（ジョブＤ）、５５ｆ（ジョブＥ）に対応する。また、送信履歴の項目としては、「送信日時」，「ジョブ名」，「ＦＡＸ番号」，「ステータス」を有し、「ステータス」は、ＭＦＰ４が画像データの送信に成功した状態か失敗した状態かを示す。さらに、「ステータス」には、ＭＦＰ４が送信に成功した画像データの送信先を別の送信先に変更して送信するための送信先変更キーに相当する宛名変更ボタン５９と、ＭＦＰ４が送信に失敗した画像データを再送信するための再送信キーに相当する再送信ボタン６０とが選択可能に付与されている。
【００４６】
ユーザは上記「ステータス」により、各送信履歴について、“送信済み”の場合に送信成功、“失敗”の場合に送信失敗として把握することができ、ＦＡＸの送信結果を容易に認識することができる。また、ユーザはこの履歴一覧を見るだけで、同じステータスの送信履歴を抽出してその内容を確認することができる。
【００４７】
図６は、クライアントＰＣ２に表示される検索条件入力画面の一例を示す図である。
図５に示した送信履歴画面５において、ユーザが操作部２６を操作して検索条件の入力ボタン５３が押下指示されると、図６に示す検索条件入力画面が表示部２５に表示される。ユーザは、検索条件として、例えば、送信日時，ジョブ名，宛先情報（ＦＡＸ番号など），送信結果（送信成功／失敗）の少なくとも１つを入力することができる。この検索条件に基づいて履歴一覧の送信履歴が検索され、その検索結果が表示部２５に表示される。ここでの検索処理は送信履歴検索手段に相当する履歴情報検索部２７４により実行される。
【００４８】
図７は、クライアントＰＣ２に表示されるリスト保存画面の一例を示す図である。
図５に示した送信履歴画面５において、ユーザが操作部２６を操作してリストの保存ボタン５４が押下指示されると、図７に示すリスト保存画面が表示部２５に表示される。ユーザは、このリスト保存画面により、送信履歴画面５に表示されている履歴一覧にファイル名を付けて保存することができる。
【００４９】
次に、送信履歴画面５に表示される送信履歴情報を用いて、ＭＦＰ４が送信に失敗した送信済ジョブの再送信処理について説明する。
図８は、クライアントＰＣ２に表示される再送信指示画面の一例を示す図である。
図５に示した送信履歴画面５において、ユーザが操作部２６を操作して「ステータス」が“失敗”の送信履歴の横にある再送信ボタン６０を押下指示すると、図５に示す再送信指示画面が表示部２５に表示される。ユーザはこの再送信指示画面に対して、操作部２６を操作して“ＹＥＳ”ボタンを押下すると、送信ジョブ取得部２７６がＨＤＤ２８に記憶されている該当する送信ジョブを取得する。この送信ジョブに対して、ジョブ生成部２７２がヘッダ部分の送信日時を変更した送信ジョブを生成し、通信部２４はこの送信ジョブをネットワーク３を介してＭＦＰ４の通信部４５に送信する。
【００５０】
ＭＦＰ４は、送信ジョブがＦＡＸ形式の場合には、クライアントＰＣ２から受信した送信ジョブをＦＡＸモデム４６からＦＡＸ回線に送信する。また、送信ジョブが電子メール形式の場合には、クライアントＰＣ２から受信した送信ジョブを通信部４５からネットワークに送信する。
このように、ＭＦＰが送信に失敗した送信ジョブに対して、履歴一覧から１ステップの操作で容易に再送信することができる。
【００５１】
次に、送信履歴画面５に表示される送信履歴情報を用いて、ＭＦＰ４が送信に成功した送信済ジョブの宛先を変更した送信処理について説明する。
図９は、クライアントＰＣ２に表示される転送指示画面の一例を示す図である。
図５に示した送信履歴画面５において、ユーザが操作部２６を操作して「ステータス」が“送信済”の履歴の横にある宛先変更ボタン６０を選択指示すると、図６に示す転送指示画面が表示部２５に表示される。ユーザは操作部２６を操作して転送する宛先を入力後、“ＯＫ”ボタンを押下すると、送信ジョブ取得部２７６がＨＤＤ２８に記憶されている該当する送信ジョブを取得する。この送信ジョブに対して、送信先設定部２７１が送信先を設定後、ジョブ生成部２７２がヘッダ部分の送信日時を変更した送信ジョブを生成し、通信部２４はこの送信ジョブをネットワーク３を介してＭＦＰ４の通信部４５に送信する。
【００５２】
ＭＦＰ４は、送信ジョブがＦＡＸ形式の場合には、クライアントＰＣ２から受信した送信ジョブをＦＡＸモデム４６からＦＡＸ回線に送信する。また、送信ジョブが電子メール形式の場合には、クライアントＰＣ２から受信した送信ジョブを通信部４５からネットワークに送信する。
このように、ＭＦＰが送信に成功した送信ジョブに対して、同じ内容の送信ジョブを宛先のみを変更して容易に送信することができる。
【００５３】
図１０は、クライアントＰＣ２に送信履歴のサムネイル画像を表示した場合の他の画面例を示す図である。本例の送信履歴画面５は、履歴データ生成部２７５により生成したサムネイル画像を１画面に表示できない場合に、サムネイル画像をスクロール可能に表示させた画面例について示したもので、スクロールバー６１をサムネイル画像と同時に表示する。この画面は、履歴データ生成部２７５により生成され、表示データ制御部２７７が表示部２５に表示する。このように、１画面に表示できないサムネイル画像をスクロールバーを使用して表示することにより、ユーザは全ての送信履歴の画像を効率的に確認することができる。
【００５４】
図１１は、図１に示した情報処理システムによる履歴情報表示方法の一例を説明するためのフロー図である。まず、クライアントＰＣ２は、ユーザ操作によりＦＡＸアプリケーションの「送信履歴表示」が選択指示されると、履歴情報取得部２７３によりＨＤＤ２８に記憶されている送信履歴情報を取得し（ステップＳ１）、取得した送信履歴情報をサムネイル表示するか履歴一覧表示するかを判定する（ステップＳ２）。この判定処理は、前述の図４に示した送信履歴画面５において、サムネイル表示ボタン５１が選択されればサムネイル表示と判定し、一覧表示ボタン５２が選択されれば履歴一覧表示と判定する。
【００５５】
クライアントＰＣ２は、ステップＳ２において、サムネイル表示すると判定した場合（ＹＥＳの場合）、履歴データ生成部２７５が送信履歴情報からサムネイルで表示情報を作成する（ステップＳ３）。一方、ステップＳ２において、一覧表示すると判定した（ＮＯの場合）、履歴データ生成部２７５が送信履歴情報から履歴一覧で表示情報を作成し（ステップＳ４）、ステップＳ７に移行する。
【００５６】
次に、クライアントＰＣ２は、サムネイル画像の１枚目に送付状が挿入されているかどうかを判定し（ステップＳ５）、送付状が挿入されている場合（ＹＥＳの場合）、履歴データ生成部２７５が１枚目のサムネイル画像を削除する（ステップＳ６）。一方、ステップＳ５において、送付状が挿入されていない場合（ＮＯの場合）、ステップＳ７に移行する。
【００５７】
次に、クライアントＰＣ２は、サムネイル画像を一画面で表示可能かどうかを判定し（ステップＳ７）、サムネイル画像を一画面に表示できない場合（ＮＯの場合）、履歴データ生成部２７５がサムネイル画像の表示情報にスクロールバーを挿入する（ステップＳ８）。一方、ステップＳ７において、サムネイル画像を一画面に表示できる場合（ＹＥＳの場合）、ステップＳ９に移行する。
【００５８】
そして、クライアントＰＣ２は、表示データ制御部２７７が履歴データ生成部２７５により生成されたサムネイル画像あるいは履歴一覧の表示情報を表示部２５に表示する（ステップＳ９）。このステップＳ９におけるサムネイル画像の表示画面としては、例えば、前述の図４あるいは図１０に示したものとなり、履歴一覧の表示画面は、例えば、前述の図５に示したものとなる。
【００５９】
一方、サーバ装置１を経由してクライアントＰＣ２から送信履歴の表示処理を行う場合について前述の図１１により説明を行う。基本的な処理の流れは前述のクライアントＰＣ２における場合と同様である。まず、サーバ装置１は、クライアントＰＣ２から、ユーザ操作によりＦＡＸアプリケーションの「送信履歴表示」が選択指示されると、履歴情報取得部１５３によりＨＤＤ１６に記憶されている送信履歴情報を取得し（ステップＳ１）、取得した送信履歴情報をサムネイル表示するか履歴一覧表示するかを判定する（ステップＳ２）。この判定処理は前述の通りであるため説明を省略する。
【００６０】
サーバ装置１は、ステップＳ２において、サムネイル表示すると判定した場合（ＹＥＳの場合）、履歴データ生成部１５５が送信履歴情報からサムネイルで表示情報を作成する（ステップＳ３）。一方、ステップＳ２において、一覧表示すると判定した（ＮＯの場合）、履歴データ生成部１５５が送信履歴情報から履歴一覧で表示情報を作成し（ステップＳ４）、ステップＳ７に移行する。
【００６１】
次に、サーバ装置１は、サムネイル画像の１枚目に送付状が挿入されているかどうかを判定し（ステップＳ５）、送付状が挿入されている場合（ＹＥＳの場合）、履歴データ生成部１５５が１枚目のサムネイル画像を削除する（ステップＳ６）。一方、ステップＳ５において、送付状が挿入されていない場合（ＮＯの場合）、ステップＳ７に移行する。
【００６２】
次に、サーバ装置１は、サムネイル画像を一画面で表示可能かどうかを判定し（ステップＳ７）、サムネイル画像を一画面に表示できない場合（ＮＯの場合）、履歴データ生成部１５５がサムネイル画像の表示情報にスクロールバーを挿入する（ステップＳ８）。一方、ステップＳ７において、サムネイル画像を一画面に表示できる場合（ＹＥＳの場合）、ステップＳ９に移行する。
【００６３】
そして、サーバ装置１は、表示データ制御部１５７が履歴データ生成部１５５により生成されたサムネイル画像あるいは履歴一覧の表示情報をクライアントＰＣ２の表示部２５に表示する（ステップＳ９）。このステップＳ９におけるサムネイル画像の表示画面としては、例えば、前述の図４あるいは図１０に示したものとなり、履歴一覧の表示画面は、例えば、前述の図５に示したものとなる。
【００６４】
サーバ装置１を利用して通信環境を構成した場合、表示データ制御部１５７は、複数のクライアント端末２のいずれかのクライアント端末からの送信履歴の表示要求に応じて、履歴データ生成部１５５により生成したサムネイル画像あるいは履歴一覧を、表示要求を行ったクライアント端末の表示部に表示させることができる。
【００６５】
サーバ装置１を利用することで、複数のクライアントＰＣ２からの送信履歴を一元的に管理することができるようになる。サーバ装置１が、例えば、クライアントＰＣ２ａ，２ｂ，２ｃの送信履歴を記憶している場合、クライアントＰＣ２ａからの送信履歴の表示要求に対して、サーバ装置１は、クライアントＰＣ２ａに、クライアントＰＣ２ａ〜２ｃの送信履歴を全て表示させるようにしてもよい。この場合、クライアントＰＣ２ａのユーザは、他のクライアントＰＣ２ｂ，２ｃの送信履歴についても確認することができると共に、他のクライアントＰＣ２ｂの未送信ＦＡＸの再送信などの処理を行うことができる。
【００６６】
図１２は、クライアントＰＣ２に送信履歴の履歴一覧を表示した場合の他の画面例を示す図である。ここでは、前述の図５に示した履歴一覧の送信履歴を、送信履歴の送信結果の状態毎にタブで分けて表示させた例を示す。図中、６２は全ての送信履歴の一覧を表示するためのタブ、６３は画像データの送信に成功した送信履歴を表示するためのタブ、６４は画像データの送信に失敗した送信履歴を表示するためのタブを示す。
【００６７】
本例の送信履歴画面５は、ユーザが操作部２６を操作して一覧表示５２が選択された際の表示状態を示しており、図１２（Ａ）に示す例の場合、履歴一覧表示領域５８には、送信成功を示すタブ６３でグループ化された送信履歴の一覧が表示されている。また、図１２（Ｂ）に示す例の場合、履歴一覧表示領域５８には、送信失敗を示すタブ６４でグループ化された送信履歴の一覧が表示されている。本例の送信履歴画面５についても、図５の例と同様に、履歴データ生成部２７５により生成され、表示データ制御部２７７が表示部２５に表示する。このように、送信履歴をタブでグループ分けして表示することで、ＦＡＸ送信に成功したのか失敗したのかが一目で分かり、同じ状態にある画像データを効率的に見つけ出すことができる。
【００６８】
なお、上記の変形例として、前述の図５に示した履歴一覧の送信履歴を、送信履歴の送信結果の状態毎に色分けして表示させてもよい。すなわち、送信成功の送信履歴と送信失敗の送信履歴とを異なる色にして、ユーザが区別できるようにする。この際、送信履歴の文字自体を異なる色にしてもよく、あるいは、送信履歴の背景を異なる色にしてもよい。
【００６９】
図１３は、クライアントＰＣ２に送信履歴のサムネイル画像を表示した場合の他の画面例を示す図である。ここでは、前述の図１０に示したサムネイル画像に対応する送信結果の状態毎に色分けして表示させた例を示す。本例のサムネイル画像５５ａ〜５５ｆのうち、サムネイル画像５５ｂ，５５ｄが送信に失敗した画像データであるため、送信成功の他のサムネイル画像と区別可能とするために、色付けして表示されている。このように、送信履歴を色分けして表示することで、ＦＡＸ送信に成功したのか失敗したのかが一目で分かり、同じ状態にある画像データを効率的に見つけ出すことができる。
【００７０】
図１４は、図１に示した情報処理システムによる送信履歴検索方法の一例を説明するためのフロー図である。まず、クライアントＰＣ２は、ユーザが前述の図５に示した送信履歴画面５において、操作部２６を操作して検索条件の入力ボタン５３を押下すると、図６に示した検索条件入力画面を表示部２５に表示する。この検索条件入力画面に対して、ユーザは操作部２６を操作して検索したいキーワードを入力する（ステップＳ１１）。例えば、検索条件として、送信日時、ジョブ名、宛先情報、送信結果などのキーワードを入力することができる。
【００７１】
次に、クライアントＰＣ２は、履歴情報取得部２７３がＨＤＤ２８に記憶されている送信履歴情報を取得し（ステップＳ１２）、取得した送信履歴情報から順番に1つずつ送信履歴を取り出して（ステップＳ１３）、取り出した送信履歴がステップＳ１１で入力したキーワードに合致するかどうか判定する（ステップＳ１４）。この判定処理は履歴情報検索部２７４で実行される。
【００７２】
クライアントＰＣ２は、ステップＳ１４において、送信履歴がキーワードに合致すると判定した場合（ＹＥＳの場合）、その送信履歴を表示対象履歴として履歴データ生成部２７５に送る（ステップＳ１５）。また、ステップＳ１４において、送信履歴がキーワードに合致しない場合（ＮＯの場合）、ステップＳ１６に移行する。
そして、クライアントＰＣ２は、ステップＳ１６において、当該送信履歴が最後の送信履歴かどうかを判定し、最後の送信履歴でないと判定した場合（ＮＯの場合）、ステップＳ１３に戻り、送信履歴がなくなるまで処理を繰り返す。また、ステップＳ１６において、最後の送信履歴であると判定した場合（ＹＥＳの場合）、履歴データ生成部２７５に送られた送信履歴があるかどうかを判定する（ステップＳ１７）。
【００７３】
クライアントＰＣ２は、ステップＳ１７において、履歴データ生成部２７５に送られた送信履歴があった場合（ＹＥＳの場合）、その送信履歴に対して、履歴データ生成部２７５が新しいタブを追加した履歴データを生成し、後述の図１５に示すように、表示データ制御部２７７がこの履歴データを表示部２５に表示する（ステップＳ１８）。一方、ステップＳ１７において、履歴データ生成部２７５に送られた送信履歴がなかった場合（ＮＯの場合）、後述の図１６に示すように、表示データ制御部２７７がエラーメッセージを表示部２５に表示する（ステップＳ１９）。
【００７４】
図１５は、クライアントＰＣ２に送信履歴の履歴一覧を表示した場合の他の画面例を示す図である。ここでは、前述の図５に示した履歴一覧の送信履歴に対して、図１４で説明したフローに従って履歴情報検索部２７４で検索して得た送信履歴を、タブ６２〜６４とは異なる別のタブ６５で区別して表示させた例を示す。本例では、ＦＡＸ番号に０７４３を含む送信履歴が新たな履歴データとして抽出されている。
【００７５】
前述の図５に示した送信履歴画面５に対して、キーワード検索の結果、新たに抽出された履歴データを新規のタブ６５に分けて表示する場合には、ユーザが操作部２６を操作してリストの保存ボタン５４を押下すると、前述の図７に示したリスト保存画面が表示部２５に表示される。ユーザが操作部２６を操作して新しく抽出した履歴データのタブ６５の名前を入力すると、履歴データ生成部２７５が、図１５に示すように入力した名前のタブ（ここでは“０７４３宛”）を追加生成し、表示データ制御部２７７がこれを表示部２５に表示する。
【００７６】
上記の変形例として、履歴データ生成部２７５が、履歴情報検索部２７４により検索して得た送信履歴の画像データをサムネイル化してサムネイル画像を生成してもよい。図１５の例では、タブ６５に表示された送信履歴、すなわち“ジョブＡ２”と“ジョブＤ”の画像データがサムネイル画像で表示される。
【００７７】
図１６は、クライアントＰＣ２に表示されるエラー画面の一例を示す図である。このエラー画面は、前述の図１４に示したステップＳ１９において表示されるエラー画面であり、入力した検索条件に合致する送信履歴がなかった場合に、表示データ制御部２７７により表示部２５に表示される。
【００７８】
このように、検索条件を入力して送信履歴情報の中から所望の送信履歴を抽出することができるため、例えば、同じ送信日時，ジョブ名，ＦＡＸ番号などの条件でまとめて抽出して内容を確認したり、再送信等の処理を行うことができる。
【００７９】
図１７は、クライアントＰＣ２に送信履歴のサムネイル画像を表示した場合の他の画面例を示す図である。前述したように、表示データ制御部２７７は、履歴データ生成部２７５により生成したサムネイル画像を表示させる際に、サムネイル画像に対応する画像データの送信日時，ジョブ名，宛先情報（ＦＡＸ番号など），送信結果のいずれか１以上を含む送信履歴情報を同時に表示させることができる。図１７の例の場合、送信日時，ジョブ名，ＦＡＸ番号，送信結果とサムネイル画像が共に表示されている。このように、送信履歴情報をサムネイル画像といっしょに表示させることにより、送信した内容をより早く見つけて確認することができる。
【００８０】
ここまでの説明においては、ＭＦＰ４のファクシミリ機能を使用して画像データを送信するものとして説明したが、ＭＦＰ４の電子メール機能を使用して画像データを送信しても構わない。電子メール送信とした場合、受信側がファクシミリ機能を備えていなくてもよく、ＰＣなどの電子メール機能を備えた機器であれば受信が可能となる。
【００８１】
その他の実施例として、表示するサムネイル画像の大きさを、送信日時の情報に基づいて変えても良い。例えば、図１８に示すように、送信日時が新しいものから順に、サムネイル画像の大きさを大きくすることにより、ユーザが最新の送信ジョブの内容を容易に識別することが可能となる。
また、ユーザにより選択されたサムネイル画像を、拡大表示させても良い。このように、ユーザにより選択されたサムネイル画像を拡大表示させることで、内容を容易に識別することが可能となる。
【００８２】
以上、本発明の情報処理システムにおける各機能を中心に各実施形態を説明してきたが、本発明は、情報処理システムにおける各ステップを実行する方法としても説明したように履歴情報表示方法としての形態もとることができる。また、この情報処理システムにおける情報処理装置として履歴情報表示機能を実行させるためのプログラム、あるいは、情報処理装置により履歴情報表示方法を実行するプログラムとしての形態も、また、そのプログラムを記録した記録媒体としての形態も可能である。
【００８３】
本発明による履歴情報表示機能を実現するためのプログラムやデータを記憶した記録媒体の実施形態について説明する。記録媒体としては、具体的には、ＣＤ−ＲＯＭ（−Ｒ／−ＲＷ）、光磁気ディスク、ＤＶＤ−ＲＯＭ（−Ｒ／−ＲＷ／−ＲＡＭ）、ＦＤ、ＨＤ、ＢＤ、フラッシュメモリ、メモリカードや、メモリスティック及びその他各種ＲＯＭやＲＡＭ等が想定でき、これら記録媒体に上述した本発明の各実施形態における機能をコンピュータに実行させるためのプログラムを記録して流通させることにより、当該機能の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明に関わる履歴情報表示機能を実行することができる。
【図面の簡単な説明】
【００８４】
【図１】本発明の一実施形態に係る情報処理システムの構成例を示す図である。
【図２】図１に示した情報処理システムにおけるサーバ装置及びクライアントＰＣの要部構成例を示すブロック図である。
【図３】図１に示した情報処理システムにおけるＭＦＰの要部構成例を示すブロック図である。
【図４】クライアントＰＣに送信履歴のサムネイル画像を表示した場合の画面例を示す図である。
【図５】クライアントＰＣに送信履歴の履歴一覧を表示した場合の画面例を示す図である。
【図６】クライアントＰＣに表示される検索条件入力画面の一例を示す図である。
【図７】クライアントＰＣに表示されるリスト保存画面の一例を示す図である。
【図８】クライアントＰＣに表示される再送信指示画面の一例を示す図である。
【図９】クライアントＰＣに表示される転送指示画面の一例を示す図である。
【図１０】クライアントＰＣに送信履歴のサムネイル画像を表示した場合の他の画面例を示す図である。
【図１１】図１に示した情報処理システムによる履歴情報表示方法の一例を説明するためのフロー図である。
【図１２】クライアントＰＣに送信履歴の履歴一覧を表示した場合の他の画面例を示す図である。
【図１３】クライアントＰＣに送信履歴のサムネイル画像を表示した場合の他の画面例を示す図である。
【図１４】図１に示した情報処理システムによる送信履歴検索方法の一例を説明するためのフロー図である。
【図１５】クライアントＰＣに送信履歴の履歴一覧を表示した場合の他の画面例を示す図である。
【図１６】クライアントＰＣに表示されるエラー画面の一例を示す図である。
【図１７】クライアントＰＣに送信履歴のサムネイル画像を表示した場合の他の画面例を示す図である。
【図１８】クライアントＰＣに送信履歴のサムネイル画像を表示した場合の他の画面例を示す図である。
【符号の説明】
【００８５】
１…サーバ装置、２…クライアントＰＣ、３…ネットワーク、４…ＭＦＰ、５…送信履歴画面、１１，２１，４１…ＣＰＵ、１２，２２，４２…ＲＡＭ、１３，２３，４３…ＲＯＭ、１４，２４，４５…通信部、１５，２７…通信処理部、１６，２８，４４…ＨＤＤ、４６…ＦＡＸモデム、１５１，２７１…送信先設定部、１５２，２７２…ジョブ生成部、１５３，２７３…履歴情報取得部、１５４，２７４…履歴情報検索部、１５５，２７５…履歴データ生成部、１５６，２７６…送信ジョブ取得部、１５７，２７７…表示データ制御部、２５…表示部、２６…操作部。
【図１】
0004452739.tif 000002
【図２】
0004452739.tif 000003
【図３】
0004452739.tif 000004
【図４】
0004452739.tif 000005
【図５】
0004452739.tif 000006
【図６】
0004452739.tif 000007
【図７】
0004452739.tif 000008
【図８】
0004452739.tif 000009
【図９】
0004452739.tif 000010
【図１０】
0004452739.tif 000011
【図１１】
0004452739.tif 000012
【図１２】
0004452739.tif 000013
【図１３】
0004452739.tif 000014
【図１４】
0004452739.tif 000015
【図１５】
0004452739.tif 000016
【図１６】
0004452739.tif 000017
【図１７】
0004452739.tif 000018
【図１８】
0004452739.tif 000019